(57)【要約】  ディジタル記憶媒体を含む記録装置に結合される受信器では、ディジタル記憶媒体上に記憶される多重化ストリームのサブチャンネルに対してトリック・モード操作を備える方法を備える。多重化ストリームの特定のサブチャンネルに特に関するトリック・モード・コマンドは記録装置に送信される。特定のサブチャンネルに相当するフレーム・データが記録装置から受信される。特定のサブチャンネルについてのトリック・モード・データがフレーム・データから抽出される。
2006528460.tif 000002
【特許請求の範囲】
【請求項１】
ディジタル記憶媒体によって記憶される多重化ストリームのサブチャンネルに対してトリック・モード操作を備える方法であって、
記録装置で、多重化ストリームの特定のサブチャンネルに特に関するトリック・モード・コマンドを受信する工程と、
前記特定のサブチャンネルに相当する前記ディジタル記憶媒体によって記憶されるフレーム・データを識別する工程と、
該フレーム・データから、前記特定のサブチャンネルについてのトリック・モード・データを抽出する工程とを備えることを特徴とする方法。
【請求項２】
請求項１記載の方法であって、
前記フレーム・データが、前記特定のサブチャンネルの、完全なイントラ符号化フレーム（Ｉフレーム）を備えることを特徴とする方法。
【請求項３】
請求項１記載の方法であって、
表示装置に、該表示装置によって表示するよう前記特定のサブチャンネルについての前記トリック・モード・データを出力する工程を更に備えることを特徴とする方法。
【請求項４】
請求項１記載の方法であって、
前記受信する工程は、リモコン装置を介して前記トリック・モード・コマンドをユーザが選択することに応じて行われることを特徴とする方法。
【請求項５】
請求項１記載の方法であって、
前記ディジタル記憶媒体は、米国電気電子技術者協会１３９４（ＩＥＥＥ１３９４）に準拠することを特徴とする方法。
【請求項６】
請求項１記載の方法であって、
前記多重化ストリームは、動画像専門家グループ（ＭＰＥＧ）伝送ストリームであることを特徴とする方法。
【請求項７】
請求項１記載の方法であって、
前記多重化ストリームの前記特定のサブチャンネルは、前記トリック・モード・コマンドにおけるオペランドとして規定されることを特徴とする方法。
【請求項８】
請求項７記載の方法であって、
前記特定のサブチャンネルに施す対象の複数のトリック・モード操作のうちの少なくとも１つが、前記トリック・モード・コマンドにおける別のオペランドとして規定されることを特徴とする方法。
【請求項９】
受信機に結合されるディジタル記憶媒体との組み合わせで、該ディジタル記憶媒体上に記憶される多重化ストリームのサブチャンネルに対してトリック・モード操作を備える方法であって、
前記受信機から、多重化ストリームの特定のサブチャンネルに特に関するトリック・モード・コマンドを受信する工程と、
前記受信機に向けて、前記トリック・モード・コマンドの受信に応じて、前記ディジタル記憶媒体によって記憶される前記特定のサブチャンネルに相当するフレーム・データを、該フレーム・データからトリック・モード・データを抽出するよう送る工程とを備え、
前記トリック・モード・データが前記特定のサブチャンネルに相当することを特徴とする方法。
【請求項１０】
請求項９記載の方法であって、
前記フレーム・データが、前記特定のサブチャンネルの、完全なイントラ符号化フレーム（Ｉフレーム）を備えることを特徴とする方法。
【請求項１１】
請求項９記載の方法であって、
前記ディジタル記憶媒体は、米国電気電子技術者協会１３９４（ＩＥＥＥ１３９４）に準拠することを特徴とする方法。
【請求項１２】
請求項９記載の方法であって、
前記多重化ストリームは、動画像専門家グループ（ＭＰＥＧ）伝送ストリームであることを特徴とする方法。
【請求項１３】
請求項９記載の方法であって、
前記多重化ストリームの前記特定のサブチャンネルは、前記トリック・モード・コマンドにおけるオペランドとして規定されることを特徴とする方法。
【請求項１４】
請求項１３記載の方法であって、
前記特定のサブチャンネルに施す対象の複数のトリック・モード操作のうちの少なくとも１つが、前記トリック・モード・コマンドにおける別のオペランドとして規定されることを特徴とする方法。
【発明の詳細な説明】
【技術分野】
【０００１】
本発明は、一般的に、多重化ストリームに関し、特に、ディジタル記憶媒体上に記憶される多重化ストリームに対してトリック・モード操作を備える方法に関する。
【背景技術】
【０００２】
米国電気電子技術者協会（ＩＥＥＥ）１３９４ベースのディジタル記憶装置（例えば、ディジタル・ビデオ・ホーム・システム（ＤＶＨＳ）レコーダ、パーソナル・ビデオ・レコーダ（ＰＶＲ）用ハードドライブ等）の多くは、複数のビデオ番組及びオーディオ番組を多くの場合含む多重化ストリーム（例えば、動画像専門家グループ（ＭＰＥＧ）伝送ストリーム）を捕捉し、再生する役目を担う。しかし、現行の技術は、サブチャンネル（第１の番組すなわち「１次的な」番組でない、このタイプのストリーム内の番組）に対するトリック・モード操作（速送り、巻き戻し等）の実施を可能にするものでない。
【０００３】
ＩＥＥＥ１３９４ベースのディジタル記憶装置の制御は、ＩＥＥＥ１３９４業界団体によってリリースされているオーディオ／ビデオ制御（ＡＶ／Ｃ）仕様によって規定されているコマンド群を用いて行われる。共通の仕様が、ＩＥＥＥ１３９４標準に準拠する、オーディオ／ビデオ装置を制御するコマンド群を規定する。
【発明の開示】
【発明が解決しようとする課題】
【０００４】
この仕様の中には、装置のオン／オフ、再生の開始、速送り、巻き戻し等などを行ううえでのコントロールがある。このコマンド群の重大な欠陥として、装置のユーザがサブチャンネルを視聴している際に速送りや巻き戻しなどのトリック・モード操作を行うことができないということがある。
【０００５】
よって、ＩＥＥＥ１３９４ベースのディジタル記憶媒体によって記憶されるＭＰＥＧ伝送ストリーム内のサブチャンネルに対してトリック・モード操作（速送り、巻き戻し等）を行う機能を有することが望ましくかつ非常に効果的であるものである。
【課題を解決するための手段】
【０００６】
先行技術の上記課題や他の関連課題は、ディジタル記憶媒体上に記憶される多重化ストリームに対してトリック・モード操作を備える方法に関する本発明によって解決される。
【０００７】
効果的には、本発明によって、ディジタル記憶媒体（例えば、ＩＥＥＥ１３９４ベースのディジタル記憶媒体）がトリック・モード操作（速送り、巻き戻し等）を、例えば動画像専門家グループ（ＭＰＥＧ）伝送ストリームなどの多重化ストリーム内のサブチャンネルに対して行うことが可能になる。
【０００８】
本発明の一局面によれば、ディジタル記憶媒体上に記憶される多重化ストリームのサブチャンネルに対してトリック・モード操作を備える方法を備える。多重化ストリームの特定のサブチャンネルに特に関するトリック・モード・コマンドは、ディジタル記憶媒体によって受信される。特定のサブチャンネルに相当するフレーム・データが識別される。特定のサブチャンネルについてのトリック・モード・データは、フレーム・データから抽出される。
【０００９】
本発明の別の局面によれば、ディジタル記憶媒体を含み、受信器に結合される記録装置では、ディジタル記憶媒体上に記憶される多重化ストリームのサブチャンネルに対してトリック・モード操作を備える方法を備える。多重化ストリームの特定のサブチャンネルに特に関するトリック・モード・コマンドは、記録装置によって受信器から受信される。トリック・モード・コマンドの受信に応じて、そこからトリック・モード・データを抽出するよう、特定のサブチャンネルに相当するフレーム・データが受信器に送信される。このトリック・モード・データは、特定のサブチャンネルに相当する。
【発明を実施するための最良の形態】
【００１０】
本発明のこれらや他の局面、特徴や効果は、添付図面とともに検討するものである、以下の、好ましい実施例の詳細な説明から明らかになるものである。
【００１１】
本発明は、ディジタル記憶媒体上に記憶される多重化ストリームに対してトリック・モード操作を備える方法に関する。効果的には、本発明によって、表示装置／デコーダ及びディジタル記憶媒体（例えば、ＩＥＥＥ１３９４ベースのディジタル記憶媒体）が、例えば動画像専門家グループ（ＭＰＥＧ）伝送ストリームなどの多重化ストリーム内のサブチャンネルに対してトリック・モード操作（速送り、巻き戻し等）を行うことが可能になる。
【００１２】
例証する目的で、本発明は主に、ＭＰＥＧ伝送ストリームと、ＩＥＥＥ１３９４ベースのディジタル記憶媒体を有する記録装置とに関して説明する。しかし、本発明は、ＭＰＥＧ伝送ストリームのみに限定されず、ＩＥＥＥ１３９４ベースのディジタル記憶媒体に限定されず、よって、本発明の技術思想および範囲を維持しながら、他のタイプの多重化ストリームに適用することができ、他のタイプのディジタル記憶媒体を有する記録装置に適用することができる。
【００１３】
本明細書及び特許請求の範囲で使用される句「記録装置」には、ディジタル・メディアを記憶するようその中に少なくともメモリを有する何れかのタイプの装置が該当する。例えば、本発明は、ディジタル・ビデオ・ホーム・システム（ＤＶＨＳ）レコーダや、パーソナル・ビデオ・レコーダ（ＰＶＲ）用ハードドライブに限定されないがそれらを含む記録装置に適用することができる。更に、本明細書及び特許請求の範囲使用の句「サブチャンネル」は、ディジタル・ストリーム内の、そのディジタル・ストリームの第１の番組すなわち「１次的な」番組でない番組を表す。
【００１４】
なお、本発明は、ハードウェア、ソフトウェア、ファームウェア、特殊用途向プロセッサやそれらの組み合わせといった種々の形態で実施することができる。好ましくは、本発明は、ハードウェアとソフトウェアとの組み合わせとして実施される。更に、ソフトウェアは好ましくは、プログラム記憶装置上に有形的に実施されるアプリケーション・プログラムとして実施される。アプリケーション・プログラムは、何れかの適切なアーキテクチャを備えるマシンにアップロードすることができ、このマシンによって実行することができる。好ましくは、マシンは、１つ又は複数の中央処理装置（ＣＰＵ）、ランダム・アクセス・メモリ（ＲＡＭ）及び入出力（Ｉ／Ｏ）インタフェースなどのハードウェアを有するコンピュータ・プラットフォーム上に実施される。コンピュータ・プラットフォームは、オペレーティング・システム及びマイクロ命令コードも含む。本明細書及び特許請求の範囲記載の種々の処理及び機能は、オペレーティング・システムによって実行されるマイクロ命令コード部分若しくはアプリケーション・プログラム部分（又はそれらの組み合わせ）であり得る。更に、種々の他の周辺装置を更なるデータ記憶装置や印刷装置などのコンピュータ・プラットフォームに接続することができる。
【００１５】
あるいは、本発明は、特殊用途向集積回路（ＡＳＩＣ）内のハードウェア回路において実施することができ、フィールド・プログラム可能ゲート・アレイ（ＦＰＧＡ）などのプログラム可能論理デバイス（ＰＬＤ）内のハードウェア回路において実施することができる。
【００１６】
更に、添付図面に表す構成システム構成部分や構成方法工程の一部は好ましくはソフトウェアで実施されるので、システム構成部分間（や処理工程間）の実際の接続は、本発明がプログラムされる方法によって変わり得る。本明細書及び特許請求の範囲記載の教示があれば、当該関連技術分野における当業者は、本発明のこれらや同様な実施形態や構成を着想することができるものである。
【００１７】
ＩＥＥＥ１３９４ベースのディジタル記憶装置の通常の用途として、例えば、次世代テレビジョン方式委員会（ＡＴＳＣ）方式、ディジタル・ビデオ放送（ＤＶＢ）方式やディジタル放送システム（ＤＢＳ）方式によって搬送されるものなどのディジタル放送オーディオ及びディジタル放送ビデオの記録がある。例として、ＡＴＳＣの場合、ディジタル・オーディオ及びディジタル・ビデオは、ＭＰＥＧ−２伝送ストリームによって供給され、更に、記憶及び再生を行うよう、ＩＥＥＥ１３９４ベースの装置に捕捉される。
【００１８】
大半のディジタル・テレビジョン伝送は、（多くの場合マルチキャスティングとして表す）複数の番組を含む。これらの捕捉伝送ストリームには、一度にいくつかの種々の番組からのデータ・パケットが存在する。伝送ストリームから何れかの番組を抽出するのに必要なデータは、番組特定情報プロトコル（ＰＳＩＰ）に規定されている。ＩＥＥＥ１３９４ベースの装置が、ＡＴＳＣ互換テレビジョン受信機への、記録された伝送ストリームを再生する場合、受信機はＰＳＩＰを用いて、ユーザに関心がある番組のデコード及び表示に必要な情報のみを抽出する。ストリーム上の他の番組は、ＩＥＥＥ１３９４ベースの装置から受信機になお供給される。このデータは受信機によって無視されるだけである。
【００１９】
例えば、ＩＥＥＥ１３９４ベースの装置は、いくつかのビデオ番組、すなわち、「ゴルフ」、「漫画」、「天気」を含む記録を保持し得る。これらの番組の各々は、ＰＳＩに記述されている一意のパケット識別子（ＰＩＤ）を有するパケットにおいて供給される。ゴルフのビデオは、ＰＩＤ＝１０上にあり得るものであり、漫画のビデオはＰＩＤ＝３４上にあり得るものであり、天気のビデオはＰＩＤ＝５２上にあり得る。図１は、本発明の例証的な実施例による、本発明を適用し得るＭＰＥＧ−２伝送ストリーム１００を示す図である。よって、供給データは、ユーザがゴルフを視聴している際に図１に示すものと同様に見え得る。
【００２０】
ＭＰＥＧ−２伝送ストリーム１００は、パケット１からパケット７までを含む。
【００２１】
パケット１、５及び７は、ビデオを生成するのに用いられる。他のパケットは廃棄される。多数のパケットは、単一のビデオ・フレームを再構成するために必要である。
【００２２】
ユーザが速送りしようとする場合、ＡＶ／Ｃコマンドは、装置に速送り（ＦＦＷＤ）を行うことを指示するようＩＥＥＥ１３９４ベースの装置に送信される。関係するインタフェースの帯域が限定され、受信機上で利用可能なメモリ量が限定されるので、ＦＦＷＤ中には一部のフレームのみが送信され、多くのフレームは飛ばされる。
【００２３】
ＩＥＥＥ１３９４ベースの記憶装置がＦＦＷＤを行う旨のコマンドを受信する場合、装置は、ユーザがＦＦＷＤを行いたいということのみが分かる。ＩＥＥＥ１３９４ベースの記憶装置は、ユーザが視聴している番組は分からない。これは、ＩＥＥＥ１３９４ベース記憶装置ではなく、受信機が、ユーザが視聴したい番組のビデオ・パケットを除去するからである。したがって、ＩＥＥＥ１３９４ベースの記憶装置は、記憶装置がフレームを供給することになる番組についての仮説を立てなければならない。汎用ＭＰＥＧ−２ストリームの場合、プログラム・アソシエーション・テーブル記載の第１の番組が通常、選ばれる。一般的に、第１の番組に関連したＰＩＤを備えているパケットを含む一部のイントラ符号化フレームは次に、供給される。受信機は、一次的な番組のビデオを再構成するのに必要なパケットを全て受信することになる。しかし、種々の番組のパケット全てが、上記のようにお互いに多重化されるので、受信機も、他のＰＩＤ上の、点在したフレーム断片を得ることになる。このことが、ＦＦＷＤ、ＲＥＷ（巻き戻し）等が現行の技術によってサブチャンネル上で可能でない理由である。
【００２４】
ユーザがサブチャンネルを視聴していて、トリック・モードを用いようとする、本明細書及び特許請求の範囲記載の条件下では、従来の受信機は２つの方法の一方で反応するものである。
【００２５】
従来の受信機が上記状況において反応することになる第１の方法を次に説明することとする。受信機は、ＦＦＷＤが開始したということが分かり、速送りの期間、一次的な番組に戻ることになる。表している例では、第１の番組がゴルフであり、ユーザが同じビットストリームからの漫画を視聴している場合、ユーザが速送りしようとすると、ビデオは、速送りの期間、ゴルフに切り替わり、更に、通常の再生が再開されると漫画にもう一度戻ることになる。
【００２６】
従来の受信機が上記状況において反応することになる第２の方法を次に説明することとする。受信機は、速送りコマンドをＩＥＥＥ１３９４ベースの記憶装置に送り、現在のストリームを再生し続けようとする。表している例では、第１の番組がゴルフであり、ユーザがビットストリームからの漫画を視聴している場合、ユーザが速送りしようとすると、漫画のフレームを生成するのに必要なデータの断片のみが供給されることになる。受信機からは、実質的に望ましくないＭＰＥＧビデオ・アーチファクトがもたらされることになるか、受信機は実際に、ストリームを微弱信号として解釈し、画面をブランクにし得る。
【００２７】
本発明は効果的には、ストリーム上の、関心がある番組をＩＥＥＥ１３９４ベースの記憶装置に示し得るようにコマンド構造を増補させ、装置は、この増補コマンドを解釈して、トリック・モード操作中に適切なデータを送ることができる。
【００２８】
なお、３つの番組を備えるＡＴＳＣ  ＭＰＥＧ−２伝送ストリームの例は、例証的な目的で用いているに過ぎない。本発明は、ディジタル記憶媒体上で捕捉される何れかの多重化ストリームに適用することができる。
【００２９】
図２は、従来技術による、ディジタル記憶媒体上に記憶される多重化ストリームのトリック・モード方法を示す図である。
【００３０】
ユーザは、ＩＥＥＥ１３９４ベースの記憶装置上に記憶される伝送ストリーム上の第２のサブチャンネルにチャンネルを切り替える（工程２０５）。受信機は、再生コマンドをＩＥＥＥ１３９４ベースの記憶装置に送る（工程２１０）。ＩＥＥＥ１３９４ベースの記憶装置は、コマンドを受信し、伝送ストリーム全体を受信機に送る（工程２１５）。
【００３１】
受信機は、サブチャンネル２を再生するよう情報を抽出する（工程２２０）。ユーザは、番組をしばらくの間、視聴し、次に、リモコン上のＦＦＷＤボタンを押す（工程２２５）。
【００３２】
受信機は、ＦＦＷＤコマンドをＩＥＥＥ１３９４ベースの記憶装置に送る（工程２３０）。ＩＥＥＥ１３９４ベースの記憶装置は、ＦＦＷＤコマンドを受信し、番組１のＩフレームを、不完全なサブチャンネル・データとともに受信機に送る（工程２３５）。
【００３３】
受信機は、サブチャンネル２を抽出しようとするか、一次的な番組に戻り（工程２４０）、それによって、ユーザは混乱しかねない。
【実施例】
【００３４】
図３は、本発明の例証的な実施例による、ディジタル記憶媒体上に記憶される多重化ストリームのトリック・モード方法を示す図である。
【００３５】
ユーザは、ＩＥＥＥ１３９４ベースの記憶媒体上に記憶される伝送ストリーム上の第２サブチャンネルにチャンネルを切り替える（工程３０５）。受信機は再生コマンドをＩＥＥＥ１３９４ベースの記憶装置に送る（工程３１０）。ＩＥＥＥ１３９４ベースの記憶装置は、コマンドを受信し、伝送ストリーム全体を受信機に送る（工程３１５）。
【００３６】
受信機は、サブチャンネル２を再生するよう情報を抽出する（工程３２０）。ユーザは番組をしばらくの間、視聴し、次に、リモコン上のＦＦＷＤボタンを押す（工程３２５）。
【００３７】
受信機はＦＦＷＤサブチャンネル２コマンドをＩＥＥＥ１３９４ベースの記憶装置に送る（工程３３０）。ＩＥＥＥ１３９４ベースの記憶装置は、ＦＦＷＤサブチャンネル２コマンドを受信し、サブチャンネル２のＩフレームを受信機に送る（工程３３５）。Ｉフレームは、イントラ符号化され、（ＰフレームやＢフレームと違って、）他のフレームに対する何れかの参照によって再構成することができる。
【００３８】
受信機はサブチャンネル２トリック・モードを抽出し、表示する（工程３４０）ので、ユーザは、トリック・モードを停止できる状況になるまで視聴し続けることができる。
【００３９】
図４は、本発明の例証的な実施例による、多重化ストリームのサブチャンネルに関するトリック・モード操作用の例示的なオーディオ・ビデオ制御（ＡＶ／Ｃ）再生コマンドを示す図である。ＡＶ／Ｃコマンド４００は、汎用形式で備えられ、オーディオ・ビデオ・ディスクやディジタルＶＣＲに限定されないがそれらを含む媒体及び装置に対して実施することができる。本明細書及び特許請求の範囲記載の本発明の教示があれば、当該関連技術分野における当業者は、図４に関して表し、説明するＡＶ／Ｃコマンド４００に対して種々の修正、拡張等を容易に着想して、本発明の技術思想を維持しながら他の媒体や装置にこのコマンドを形成するものである。
【００４０】
ＡＶ／Ｃコマンド４００は複数のオペランド４１０を含む。Ｏｐｅｒａｎｄ〔０〕は再生コマンドを規定する。Ｏｐｅｒａｎｄ〔１〕は結果を規定する。
【００４１】
Ｏｐｅｒａｎｄ〔２〕は第１のサブファンクション（ｓｕｂ＿ｆｕｎｃｔｉｏｎ＿１）を規定する。第１のサブファンクションは、（通常、ｓｌｏｗ＿ｆｏｒｗａｒｄ、ｆａｓｔ＿ｒｅｖｅｒｓｅ等に限定されないが、それらを含む、）施す対象の特定の再生モードを規定する。
【００４２】
Ｏｐｅｒａｎｄ〔３〕は第２のサブファンクション（ｓｕｂ＿ｆｕｎｃｔｉｏｎ＿２）を規定する。第２のサブファンクションの値は、ゼロから、多重化ストリームにおける合計番組数から１を引いた数（ｎｕｍｂｅｒ＿ｉｎ＿ｍｕｌｔｉｐｌｅｘ−１）まで変わり得るものであり、再生する対象の番組（サブチャンネル）を規定する。
【００４３】
Ｏｐｅｒａｎｄ〔４〕及びｏｐｅｒａｎｄ〔５〕は任意的なものであり、ディスクが特定のトラックを再生しなければならないオーディオ・ビデオ・ディスクのみに用いられる。
【００４４】
例証的な実施例を本明細書及び特許請求の範囲で、添付図面を参照しながら説明したが、本発明は、まさにその実施例に限定されず、種々の他の変更及び修正をそれに、当該関連技術分野における当業者によって本発明の範囲又は技術思想から逸脱することなく行い得ることとする。そうした変更及び修正は全て、本特許請求の範囲記載の本発明の範囲内に収まることが意図されている。
【図面の簡単な説明】
【００４５】
【図１】本発明の例証的な実施例による、本発明を適用し得るＭＰＥＧ−２伝送ストリーム１００を示す図である。
【図２】従来技術による、ディジタル記憶媒体上に記憶される多重化ストリームに対するトリック・モード方法を示す図である。
【図３】本発明の例証的な実施例による、ディジタル記憶媒体上に記憶される多重化ストリームに対するトリック・モード方法を示す図である。
【図４】本発明の例証的な実施例による、多重化ストリームのサブチャンネルに関するトリック・モード操作用の例示的なオーディオ・ビデオ制御（ＡＶ／Ｃ）再生コマンドを示す図である。
【図１】
2006528460.tif 000003
【図２】
2006528460.tif 000004
【図３】
2006528460.tif 000005
【図４】
2006528460.tif 000006
【手続補正書】
【提出日】平成17年2月11日(2005.2.11)
【手続補正１】
【補正対象書類名】特許請求の範囲
【補正対象項目名】全文
【補正方法】変更
【補正の内容】
【特許請求の範囲】
【請求項１】
ディジタル記憶媒体によって記憶される多重化ストリームのサブチャンネルに対してトリック・モード操作を備える方法であって、
記録装置で、多重化ストリームの特定のサブチャンネルを規定するトリック・モード・コマンドを受信する工程と、
前記特定のサブチャンネルに相当する前記ディジタル記憶媒体によって記憶されるフレーム・データを識別する工程と、
該フレーム・データから、前記特定のサブチャンネルについてのトリック・モード・データを抽出する工程とを備えることを特徴とする方法。
【請求項２】
請求項１記載の方法であって、
前記フレーム・データが、前記特定のサブチャンネルの、完全なイントラ符号化フレーム（Ｉフレーム）を備えることを特徴とする方法。
【請求項３】
請求項１記載の方法であって、
表示装置に、該表示装置によって表示するよう前記特定のサブチャンネルについての前記トリック・モード・データを出力する工程を更に備えることを特徴とする方法。
【請求項４】
請求項１記載の方法であって、
前記受信する工程は、リモコン装置を介して前記トリック・モード・コマンドをユーザが選択することに応じて行われることを特徴とする方法。
【請求項５】
請求項１記載の方法であって、
前記ディジタル記憶媒体は、米国電気電子技術者協会１３９４（ＩＥＥＥ１３９４）に準拠することを特徴とする方法。
【請求項６】
請求項１記載の方法であって、
前記多重化ストリームは、動画像専門家グループ（ＭＰＥＧ）伝送ストリームであることを特徴とする方法。
【請求項７】
請求項１記載の方法であって、
前記多重化ストリームの前記特定のサブチャンネルは、前記トリック・モード・コマンドにおけるオペランドとして規定されることを特徴とする方法。
【請求項８】
請求項７記載の方法であって、
前記特定のサブチャンネルに施す対象の複数のトリック・モード操作のうちの少なくとも１つが、前記トリック・モード・コマンドにおける別のオペランドとして規定されることを特徴とする方法。
【請求項９】
受信機に結合されるディジタル記憶媒体との組み合わせで、該ディジタル記憶媒体上に記憶される多重化ストリームのサブチャンネルに対してトリック・モード操作を備える方法であって、
前記受信機から、多重化ストリームの特定のサブチャンネルを規定するトリック・モード・コマンドを受信する工程と、
前記受信機に向けて、前記トリック・モード・コマンドの受信に応じて、前記ディジタル記憶媒体によって記憶される前記特定のサブチャンネルに相当するフレーム・データを、該フレーム・データからトリック・モード・データを抽出するよう送る工程とを備え、
前記トリック・モード・データが前記特定のサブチャンネルに相当することを特徴とする方法。
【請求項１０】
請求項９記載の方法であって、
前記フレーム・データが、前記特定のサブチャンネルの、完全なイントラ符号化フレーム（Ｉフレーム）を備えることを特徴とする方法。
【請求項１１】
請求項９記載の方法であって、
前記ディジタル記憶媒体は、米国電気電子技術者協会１３９４（ＩＥＥＥ１３９４）に準拠することを特徴とする方法。
【請求項１２】
請求項９記載の方法であって、
前記多重化ストリームは、動画像専門家グループ（ＭＰＥＧ）伝送ストリームであることを特徴とする方法。
【請求項１３】
請求項９記載の方法であって、
前記多重化ストリームの前記特定のサブチャンネルは、前記トリック・モード・コマンドにおけるオペランドとして規定されることを特徴とする方法。
【請求項１４】
請求項１３記載の方法であって、
前記特定のサブチャンネルに施す対象の複数のトリック・モード操作のうちの少なくとも１つが、前記トリック・モード・コマンドにおける別のオペランドとして規定されることを特徴とする方法。
【国際調査報告】
2006528460.tif 000007
2006528460.tif 000008
2006528460.tif 000009